(57)【要約】【課題】  本考案は対戦ゲーム可能なボールシューター玩具であって、特に玩具本体の前方または上方にボールをはじき飛ばすように構成され、該ボールの射出軌跡を任意にカーブさせることのできるボールシューター玩具に関する。【解決手段】  玩具本体の底面プレートの円形孔にボールを当接させた玩具本体を垂直に下降させる時シュート部材の弾性はじき作用によって瞬時にボールが玩具本体の前方にはじきだされるように構成したことを特徴とし、底面プレートにガイドプレートを付設し、シュート部材の弾性はじき作用によって瞬時にボールが玩具本体の上方にはじきだされるように構成したことを特徴とし、且つ、シュート部材の位置調整によってボールの射出軌跡が任意にカーブするように構成したことを特徴とするボールシューター玩具を提供する。【選択図】図１
0003148836.tif 000002
【実用新案登録請求の範囲】
【請求項１】
玩具本体の底面プレートの円形孔にボールを当接させた玩具本体を垂直に下降させると一つのシュート部材の弾性はじき作用によって瞬時にボールが玩具本体の前方にはじきだされるように構成したことを特徴とするボールシューター玩具。
【請求項２】
底面プレートにガイドプレートを付設し、一つのシュート部材の弾性はじき作用によって瞬時にボールが玩具本体の上方にはじきだされるように構成したことを特徴とする請求項１記載のボールシューター玩具。
【請求項３】
一つのシュート部材の位置調整によってボールの射出軌跡が任意にカーブするように構成したことを特徴とする請求項１記載のボールシューター玩具。
【考案の詳細な説明】
【技術分野】
【０００１】  本考案は対戦ゲーム可能なボールシューター玩具であって、特に玩具本体の前方または上方にボールをはじき飛ばすように構成され、該ボールの射出軌跡を任意にカーブさせることのできるボールシューター玩具に関する。
【背景技術】
【０００２】  従来、種々の球体ゲーム玩具や球体発射装置が考案されており、例えば特開平１０−３３８４０公報「球体ゲーム玩具」や特開平１０−１９２５６２公報「球体の発射装置」がある。【０００３】
【特許文献１】  特開平１０−３３８４０号公報
【特許文献２】  特開平１０−１９２５６２号公報
【考案の開示】
【考案が解決しようとする課題】
【０００４】  上述した特開平１０−３３８４０号公報は、少なくとも２個のはじき片を備え、球体取入口を玩具本体の底面に回動自在に配置した環状部材を備えるものであって、環状部材を回動操作した後に、床面上の球体の上に取入口をあてがって、上から強く玩具本体を押し下げて、球体を上方へはじき出すようにしたものである。【０００５】  しかしながら、環状部材の回動操作を先に行う手間がかかるので、更に操作し易く、構造も簡素化する必要があった。【０００６】  また、上述した特開平１０−１９２５６２号公報は、下端が開口した筒状部材の背面側に装置本体内へ球体を収納するための供給口が設けられた基本構造を有するものであって連続して球体を発射するものであった。【０００７】  しかしながら、対戦者を相手にしてゲームを行うには、対戦者のシュートしたボールを受けて、このボールを対戦者に対して更にシュートするゲームの仕方には適応させることができず、遊技者のテクニックの向上や興味をもたせるには不十分である問題があった。
【課題を解決するための手段】
【０００８】  本考案は上記の課題を解決するために鋭意研究されたボールシューター玩具であって、玩具本体の底面プレートの円形孔にボールを当接させた玩具本体を垂直に下降させる時シュート部材の弾性はじき作用によって瞬時にボールが玩具本体の前方にはじきだされるように構成したことを特徴とし、底面プレートにガイドプレートを付設し、シュート部材の弾性はじき作用によって瞬時にボールが玩具本体の上方にはじきだされるように構成したことを特徴とし、且つ、シュート部材の位置調整によってボールの射出軌跡が任意にカーブするように構成したことを特徴とするボールシューター玩具を提供する。
【考案の効果】
【０００９】  本考案のボールシューター玩具玩具によれば、互いに対戦して攻撃することができるものであって、遊びの幅を広めることができるものである。
【考案を実施するための最良の形態】
【００１０】  以下、図面に示す実施例に基づき、本考案の具体的な構成を説明する。
図１は本考案に係るボールシューター玩具の使用状態を示す斜視図である。図２は本考案に係るボールシューター玩具の正面図である。図３は図２のＡ−Ａ線断面図である。図４は本考案に係るボールシューター玩具の背面図である。【００１１】  本考案のボールシューター玩具は、図１に示すように、玩具本体１の底面プレート５の円形孔５１にボールを当接させて玩具本体１を垂直に下降させるとシュート部材７の弾性はじき作用によって瞬時にボールが玩具本体１の前方にはじきだされている。【００１２】  底面プレート５は本体中段部３の下垂部３１に固定されている。【００１３】  本考案のボールシューター玩具によれば、サッカーまたはバスケットボール等を模した遊びができるものであって、図１の実施例図面ではボール８が水平に飛び出す状態を表記してあるが、これはサッカー等を模してゲームする時の状態であり、例えば図中点線で示すようにガイドプレート６を底面プレート５に固定したものをしようすれば、この場合はボールが上方に飛びだすのでバスケットボールを模してゲームができるものである。【００１４】  しかしながら、実施例図面ではサッカーを模してゲームする場合について説明をする。本考案のボールシューター玩具によれば、たった一つのシュート部材７の位置調整によってボール８の射出軌跡が任意にカーブするように構成されている。【００１５】  すなわち、図４のレバー７１を右方向に回動すれば、シュート部材７は図３に示すように位置が変わり、ボール８に対するはじき位置が変わるので、発射後においてボールの軌跡がカーブするように射出される。【００１６】  シュート部材７とレバー７１とは一体的に形成されており、その接続部は本体中段部３に設けられたスリット３２に挿通されている。【００１７】  該接続部には突起７２が形成されており、この突起７２はスリット３２の凹溝部３３に当接されており、レバー７１の回動が段階的に行われるように構成されている。【００１８】  アーム部材４は図１乃至図３に示すように、対戦者のボール８のスピードによって調整できるように枢軸４１を介して開度を調節することができる。【００１９】  即ち、図１に示すように、手９で本発明の玩具本体１を保持し、対戦者の発射したボール８をアーム４の内側で受け、次いで床上のボール８に円形孔５１を当接し、玩具本体１を上から強く押し下げるとボール８は玩具本体１の前面よりはじき出され、対戦者の方向へシュートされる。【００２０】  また、本体上部２の上に立体的に形成されたキャラクターやフィギュア等（図示せず）を着脱自在に設け、ゲームに合ったキャラクターやフィギュア等を任意に使用することができ、使用者の興味を喚起することができる。
【図面の簡単な説明】
【００２１】
【図１】本考案に係るボールシューター玩具の使用状態を示す斜視図である。
【図２】本考案に係るボールシューター玩具の正面図である。
【図３】図２のＡ−Ａ線断面図である。
【図４】本考案に係るボールシューター玩具の背面図である。
【符号の説明】
【００２２】  １  玩具本体
２  本体上部
３  本体中段部
３１  下垂部
３２  スリット
３３  凹溝部
４  アーム部材
４１  枢軸
５  底面プレート
５１  円形孔
６  ガイドプレート
７  シュート部材
７１  レバー
７２  突起
８  ボール
【図１】
0003148836.tif 000003
【図２】
0003148836.tif 000004
【図３】
0003148836.tif 000005
【図４】
0003148836.tif 000006